【手続補正書】
【提出日】平成18年8月15日(2006.8.15)
【手続補正１】
【補正対象書類名】特許請求の範囲
【補正対象項目名】全文
【補正方法】変更
【補正の内容】
【特許請求の範囲】
【請求項１】
粗フタロシアニン顔料を乾式粉砕、湿式粉砕、塩混練、酸ペースト化及び酸膨潤からなる群から選択される方法により微細に粉砕してプレ顔料を形成し、このプレ顔料を水と有機溶剤の混合物中アルカリｐＨ、高温、及びフタロシアニンスルホン酸、フタロシアニンカルボン酸、フタロシアニンスルホン酸塩、フタロシアニンカルボン酸塩及びフタロシアニンスルホンアミドからなる群から選択される少なくとも１つの顔料分散剤の存在下で仕上げ処理にかけることを含むフタロシアニン顔料配合物の製造方法。
【請求項２】
フタロシアニンがハロゲンを含有していないかまたは最高１６個のハロゲン原子で置換されている請求の範囲第１項に記載の方法。
【請求項３】
フタロシアニンが銅フタロシアニンである請求の範囲第１項または第２項に記載の方法。
【請求項４】
仕上げ処理の有機溶剤がＣ１−１０アルコール、グリコール、ポリグリコール、エーテル、グリコールエーテル、ケトン、脂肪酸アミド、尿素誘導体、環状カルボキサミド、ニトリル、脂肪族または芳香族アミン、塩素化脂肪族炭化水素、芳香族炭化水素、置換芳香族、芳香族ヘテロ環、スルホン及びスルホキシド、並びにこれらの混合物からなる群から選択される溶剤、である請求の範囲第１項〜第３項のいずれか１項に記載の方法。
【請求項５】
仕上げを９以上のｐＨで実施する請求の範囲第１項〜第４項のいずれか１項に記載の方法。
【請求項６】
水：有機溶剤の重量比が５：９５〜９５：５である請求の範囲第１項〜第５項のいずれか１項に記載の方法。
【請求項７】
水と有機溶剤の混合物を顔料１重量部あたり０．５〜４０重量部用いる請求の範囲第１項〜第６項のいずれか１項に記載の方法。
【請求項８】
仕上げを５０〜２５０℃の温度で実施する請求の範囲第１項〜第７項のいずれか１項に記載の方法。
【請求項９】
顔料分散剤が式（１）：
【化１】
2006509081.tif 000001
［式中、
Ｔは、金属を含有しないかまたはＣｕ、Ｆｅ、Ｚｎ、Ｎｉ、Ｃｏ、Ａｌ、Ｔｉ及びＳｎからなる群から選択される金属原子、特にＣｕを含有し、１〜４個の塩素原子で置換されているか好ましくは塩素を含有しないフタロシアニン基であり、
ｍ及びｎは、同一でも異なっていてもよく、０〜４の数であり、ただしｍ＋ｎは１〜４であり、
基Ｚ１は、式（１ａ）：
【化２】
2006509081.tif 000002
｛式中、２個の基Ｚ２は同一でも異なっていてもよく、
Ｚ２は式（１ｂ）：
−［Ｘ−Ｙ］ｈ−Ｒ３              （１ｂ）
（式中、ｈは０〜１００、好ましくは０〜２０、より好ましくは０〜５の数であり；ＸはＣ２−６アルキレン基、Ｃ５−７シクロアルキレン基または前記基の組合せであり、これらの基は１〜４個のＣ１−４アルキル基、ヒドロキシル基、Ｃ１−４アルコキシ基、Ｃ１−４ヒドロキシルアルキル基及び／または１〜２個のＣ５−７シクロアルキル基で置換されていてもよく、ｈ＞１のときには上記定義の組合せであり得；Ｙは−Ｏ−、
【化３】
2006509081.tif 000003
または基−ＮＲ２−であり、ｈ＞１のときには上記定義の組合せであり得；Ｒ２及びＲ３は相互に独立して水素原子、置換または未置換の部分的にフッ素化または過フッ素化されている直鎖もしくは分枝鎖Ｃ１−２０アルキル基、置換または未置換のＣ５−８シクロアルキル基、または置換または未置換の部分的にフッ素化または過フッ素化されているＣ２−２０アルケニル基であり、置換基はヒドロキシル、フェニル、シアノ、塩素、臭素、アミノ、Ｃ２−４アシルまたはＣ１−４アルコキシであり得、その数は好ましくは１〜４であり；或いはＲ２及びＲ３はＮＲ２基の窒素原子と一緒になって、所望により環中に１〜２個の窒素、酸素または硫黄の追加原子またはカルボニル基を含有し、未置換であるかまたはＯＨ、ＮＨ２、フェニル、ＣＮ、Ｃｌ、Ｂｒ、Ｃ１−４アルキル、Ｃ１−４アルコキシ、Ｃ２−４アシル及びカルバモイルからなる群から選択される１〜３個の基で置換されていてもよく、所望により１〜２個のベンゾ縮合の飽和、不飽和または芳香族の炭素環式またはヘテロ環式環を有する飽和、不飽和または芳香族ヘテロ環式５〜７員環を形成する）
を有する基であるか、または
Ｚ２は水素、ヒドロキシル、アミノ、フェニル、Ｃ１−４アルキレン−フェニル、Ｃ５−３０シクロアルキル、Ｃ２−３０アルケニル、または直鎖もしくは分枝鎖Ｃ１−３０アルキルであり、前記したフェニル環、Ｃ１−４アルキレン−フェニル基、Ｃ５−３０シクロアルキル基、Ｃ２−３０アルケニル基及びＣ１−３０アルキル基はＣｌ、Ｂｒ、ＣＮ、ＮＨ２、ＯＨ、Ｃ６Ｈ５、１〜３個のＣ１−２０アルコキシ基で置換されたＣ６Ｈ５、カルバモイル、カルボキシ、Ｃ２−４アシル、Ｃ１−８アルキル、ＮＲ２Ｒ３（ここで、Ｒ２及びＲ３は上記と同義である）及びＣ１−４アルコキシ（例えば、メトキシまたはエトキシ）からなる群から選択される１個以上、例えば１〜４個の置換基で置換されていてもよく、また前記したアルキル基及びアルケニル基は過フッ素化されていても部分的にフッ素化されていてもよい｝
を有する基であり、
Ｇは、２価基−ＣＯ−、−ＳＯ２−、−ＳＯ２Ｎ（Ｒ６）−Ｒ５−ＣＯ−、−ＳＯ２Ｎ（Ｒ６）−Ｒ５−ＳＯ２−、−ＣＯＮ（Ｒ６）−Ｒ５−ＣＯ−または−ＣＯＮ（Ｒ６）−Ｒ５−ＳＯ２−｛式中、Ｒ５は２価の直鎖もしくは分枝鎖の飽和または不飽和Ｃ１−２０脂肪族炭化水素基、Ｃ５−７シクロアルキレン基、フェニル，ビフェニルまたはナフチル基のような縮合形態でも結合により連結していてもよい芳香族環を１〜３個、好ましくは１〜２個有する２価芳香族基、１〜３個の環を有し且つＯ、Ｎ及びＳからなる群から選択される１〜４個のヘテロ原子を含有するヘテロ環式基、またはその組合せであり、前記した炭化水素、シクロアルキレン、芳香族及びヘテロ芳香族基はＯＨ、ＣＮ、Ｆ、Ｃｌ、Ｂｒ、ＮＯ２、ＣＦ３、Ｃ１−６アルコキシ、Ｓ−Ｃ１−６アルキル、ＮＨＣＯＮＨ２、ＮＨＣ（ＮＨ）ＮＨ２、ＮＨＣＯ−Ｃ１−６アルキル、Ｃ１−６アルキル、ＣＯＯＲ２０、ＣＯＮＲ２０Ｒ２１、ＮＲ２０Ｒ２１、ＳＯ３Ｒ２０及びＳＯ２−ＮＲ２０Ｒ２１（ここで、Ｒ２０及びＲ２１は同一でも異なっていてもよく、水素、フェニルまたはＣ１−６アルキルである）からなる群から選択される１〜４個の置換基で置換されていてもよく；Ｒ６は水素、Ｒ５−Ｈ、Ｒ５−ＣＯＯ−Ｅ＋またはＲ５−ＳＯ３−Ｅ＋である｝であり、
Ｅ＋は、Ｈ＋、金属カチオンＭｓ＋の当量Ｍｓ＋／ｓ（ここで、ｓは１〜３である）、好ましくは元素周期表の主族１〜５または遷移族１、２または４〜８の金属カチオンＭｓ＋の当量Ｍｓ＋／ｓ、ホスホニウムイオン、または未置換または置換アンモニウムイオンである］
を有する化合物である請求の範囲第１項〜第８項のいずれか１項に記載の方法。
【請求項１０】
少なくとも１つの顔料分散剤を粗フタロシアニン顔料に基づいて０．１〜２５重量％の量用いる請求の範囲第１項〜第９項のいずれか１項に記載の方法。
【請求項１１】
界面活性剤、非顔料分散剤、顔料分散剤、充填剤、標準化剤、樹脂、ワックス、脱泡剤、ダスト防止剤、増量剤、シェーディング着色剤、保存剤、乾燥遅延剤、レオロジーコントロール剤、湿潤剤、酸化防止剤、ＵＶ吸収剤、光安定剤及びその組合せからなる群から選択される追加の助剤を用いる請求の範囲第１項〜第１０項のいずれか１項に記載の方法。